(57)【要約】【課題】本発明は知能検知ロボットを開示した。【解決手段】本発明の知能検知ロボットは、装固筐体と前記装固筐体とソケットし合わせて接続する知能探知器を含み、前記装固筐体の前側端面に第一滑り筐体が設置され、前記第一滑り筐体の左右内壁に摩擦防止クッションが貼って設置され、前記第一滑り筐体の中に滑り台がスライドに合わせて取り付けられる。【選択図】図4
2019138890.tif 000002
【特許請求の範囲】
【請求項１】
知能検知ロボットであって、装固筐体と前記装固筐体とソケットし合わせて接続する知能探知器を含み、前記装固筐体の前側端面に第一滑り筐体が設置され、前記第一滑り筐体の左右内壁に摩擦防止クッションを貼って設置し、前記第一滑り筐体の中に滑り台がスライドに合わせて取り付けられ、前記滑り台の前側端面に安置溝が設置され、前記安置溝の後側内壁に前記滑り台の後側端面を通り抜ける第一通溝が設置され、前記安置溝の左右両側の内壁に前記滑り台の左右両側の端面を通り抜ける第二通溝が設置され、前記第一通溝の左右両側の前記滑り台の後側端面に第一押しバネが固定的に取り付けられ、前記第一押しバネの後側端面は前記第一滑り筐体の後側壁と固定的に接続し、前記第一滑り筐体の後側内壁に前記第一通溝と相対する信号伝送溝が設置され、前記信号伝送溝の左右両側の内壁に鏡映対称に第二滑り溝が設置され、前記第二滑り溝に仕切り板がスライドに合わせて取り付けられ、前記第二滑り溝の後側内壁に案内溝が設置され、前記案内溝に案内ブロックがスライドに合わせて取り付けられ、前記案内ブロックの外側端面の前記案内溝に第一押しバネが押し合わせて取り付けられ、前記第二滑り溝の外側内壁に後に拡張し設置される限定溝があり、前記限定溝に場所取りブロックがスライドに合わせて取り付けられ、前記場所取りブロックの前側端面にからまる輪が回転可能なように合わせて取り付けられ、前記分離板の右側端面に引きひもが固定的に取り付けられ、前記引きひもが前記からまる輪を迂回し前記場所取りブロックの前側端面と固定的に接続し、前記滑り台の後側端面に前記限定溝と相対に設置されるプッシュロッドが固定的に取り付けられ、前記第一滑り筐体の左右両側壁に鏡映対称にロック装置が設置され、前記知能探査機の後側端面に前記安置溝とソケットに合わせて接続するプラグが固定的に取り付けられ、前記プラグの左右両側に鏡映対称に前記第二通溝と相対に設置されるロック穴が設置され、前記プラグの後側端面に信号伝送端が固定的に取り付けられ、前記信号伝送端は前記第一通溝と相対に設置され、前記ロック装置は左右に鏡映対称に前記第一滑り筐体の左右両側の内壁に設置されて後に拡張し設置される第三滑り筐体が設置され、前記第三滑り筐体にスケートボードがスライドに合わせて取り付けられ、前記スケートボードの内側端面の前側位置に前記第二通溝と相対に設置されるロックブロックが設置され、前記第一滑り筐体の後側の前記スケートボードにねじ軸がねじで合わせて取り付けられ、前記ねじ軸の外側拡張末端は前記第三滑り筐体の外側内壁と回転可能なように合わせて接続し、前記ねじ軸の内側拡張段は前記装固筐体の内壁体の隙間と合わせて接続し末端に電気ローラーが動力が伝達可能なように合わせて取り付けられ、前記電気ローラーは前記装固筐体の内壁体に固定的に取り付けられ、前記電気ローラーの外部に積載装置が設置され、前記滑り台の後側端面に調整器が固定的に取り付けられ、前記第一滑り筐体の後側内壁に前記調整器と相対に設置されるフルートが設置され、前記フルートは前記電気ローラーと電気的に接続し、前記プラグの後側端面の周囲に斜角面が設けられ、前記第二電気ローラーの左右両側の前記ねじ軸がねじで逆方向に設置され、前記積載装置は衝撃除去厚い板と冷却アルミニウム板を含み、前記衝撃除去厚い板は前記電気ローラーの上端と下端に設置され前記電気ローラーと固定的に接続し、前記冷却アルミニウム板は前記電気ローラーの前端と後端に設置され前記電気ローラーと固定的に接続することを特徴とする知能検知ロボット。
【発明の詳細な説明】
【技術分野】
【０００１】
本発明は、ロボット設備の領域に関し、具体的には知能検知ロボットに関する。
【背景技術】
【０００２】
現在、自動探査ロボットの取り付ける手順や操作の段取りが複雑で、解体とメンテナンスに不便である。
【先行技術文献】
【特許文献】
【０００３】
【特許文献１】中国特許出願公開第106840220号明細書
【発明の概要】
【発明が解決しようとする課題】
【０００４】
本発明は解決すべき技術問題に対して知能検知ロボットを提供し、それは上記の現在の技術の問題を解決できる。
【０００５】
発明は下記の技術方案を通じて実現する。本発明の知能検知ロボットは、装固筐体と前記装固筐体とソケットし合わせて接続する知能探知器を含み、前記装固筐体の前側端面に第一滑り筐体が設置され、前記第一滑り筐体の左右内壁に摩擦防止クッションが貼って設置され、前記第一滑り筐体の中に滑り台がスライドに合わせて取り付けられ、前記滑り台の前側端面に安置溝が設置され、安置溝の後側内壁に前記滑り台の後側端面を通り抜ける第一通溝が設置され、前記安置溝の左右両側の内壁に前記滑り台の左右両側の端面を通り抜ける第二通溝が設置され、前記第一通溝の左右両側の前記滑り台の後側端面に第一押しバネが固定的に取り付けられ、前記第一押しバネの後側端面は前記第一滑り筐体の後側壁と固定的に接続し、前記第一滑り筐体の後側内壁に前記第一通溝と相対する信号伝送溝が設置され、前記信号伝送溝の左右両側の内壁に鏡映対称に第二滑り溝が設置され、前記第二滑り溝に仕切り板がスライドに合わせて取り付けられ、前記第二滑り溝の後側内壁に案内溝が設置され、前記案内溝に案内ブロックがスライドに合わせて取り付けられ、前記案内ブロックの外側端面の前記案内溝に第一押しバネが押し合わせて取り付けられ、前記第二滑り溝の外側内壁に後に拡張し設置される限定溝があり、前記限定溝に場所取りブロックがスライドに合わせて取り付けられ、前記場所取りブロックの前側端面にからまる輪が回転可能なように合わせて取り付けられ、前記分離板の右側端面に引きひもが固定的に取り付けられ、前記引きひもが前記からまる輪を迂回し前記場所取りブロックの前側端面と固定的に接続し、前記滑り台の後側端面に前記限定溝と相対に設置されるプッシュロッドが固定的に取り付けられ、前記第一滑り筐体の左右両側壁に鏡映対称にロック装置が設置され、前記知能探査機の後側端面に前記安置溝とソケットに合わせて接続するプラグが固定的に取り付けられ、前記プラグの左右両側に鏡映対称に前記第二通溝と相対に設置されるロック穴が設置され、前記プラグの後側端面に信号伝送端が固定的に取り付けられ、前記信号伝送端は前記第一通溝と相対に設置され、前記電気ローラーの外部に積載装置が設置される。
【０００６】
好ましい技術方案として前記ロック装置は左右に鏡映対称に前記第一滑り筐体の左右両側の内壁に設置されて後に拡張し設置される第三滑り筐体が設置され、前記第三滑り筐体にスケートボードがスライドに合わせて取り付けられ、前記スケートボードの内側端面の前側位置に前記第二通溝と相対に設置されるロックブロックが設置され、前記第一滑り筐体の後側の前記スケートボードにねじ軸がねじで合わせて取り付けられ、前記ねじ軸の外側拡張末端は前記第三滑り筐体の外側内壁と回転可能なように合わせて接続し、前記ねじ軸の内側拡張段は前記装固筐体の内壁体の隙間と合わせて接続し末端に電気ローラーが動力が伝達可能なように合わせて取り付けられ、前記電気ローラーは前記装固筐体の内壁体に固定的に取り付けられる。
【０００７】
好ましい技術方案として前記滑り台の後側端面に調整器が固定的に取り付けられ、前記第一滑り筐体の後側内壁に前記調整器と相対に設置されるフルートが設置され、前記フルートは前記電気ローラーと電気的に接続する。
【０００８】
好ましい技術方案として前記プラグの後側端面の周囲に斜角面が設置される。
【０００９】
好ましい技術方案として前記第二電気ローラーの左右両側の前記ねじ軸がねじで逆方向に設置される。
【００１０】
好ましい技術方案として前記積載装置は衝撃除去厚い板と冷却アルミニウム板を含み、前記衝撃除去厚い板は前記電気ローラーの上端と下端で設置され前記電気ローラーと固定的に接続し、前記冷却アルミニウム板は前記電気ローラーの前端と後端で設置され前記電気ローラーと固定的に接続する。
【発明の効果】
【００１１】
本発明は、構造が簡単で、操作が便利である。知能探知器をしっかりと装固筐体にロックし、不慮の接触でデータ受信或いは輸送をブレーキすることを防止し、有効的に知能探知器の使用安全性と安定性を増やして、そして自動ロックを通じて、使用する便利性を大きく増加し、知能探知器を引き抜く時、信号伝送筐体が自動に閉鎖され、有効的にほこり或いは水が信号伝送筐体に入ることを防ぐ。
【図面の簡単な説明】
【００１２】
【図１】図１は本発明の装固筐体の内部の全体構造概略図である。
【図２】図２は本発明の知能探知器の内部の全体構造概略図である。
【図３】図３は本発明のA所の拡大構造概略図である。
【図４】図４は本発明のの左視構造概略図である。
【図５】図５は本発明の積載装置の構造概略図である。
【発明を実施するための形態】
【００１３】
図１−図５のように、本発明の知能検知ロボットは装固筐体１００と前記装固筐体１００とソケットし合わせて接続する知能探知器２００を含み、前記装固筐体１００の前側端面に第一滑り筐体１２２が設置され、前記第一滑り筐体１２２の左右内壁に摩擦防止クッション１１９が貼って設置され、前記第一滑り筐体１２２の中に滑り台１１８がスライドに合わせて取り付けられ、前記滑り台１１８の前側端面に安置溝１１６が設置され、安置溝１１６の後側内壁に前記滑り台１１８の後側端面を通り抜ける第一通溝１１７が設置され、前記安置溝１１６の左右両側の内壁に前記滑り台１１８の左右両側の端面を通り抜ける第二通溝１１５が設置され、前記第一通溝１１７の左右両側の前記滑り台１１８の後側端面に第一押しバネ１４７が固定的に取り付けられ、前記第一押しバネ１４７の後側端面は前記第一滑り筐体１２２の後側壁と固定的に接続し、前記第一滑り筐体１２２の後側内壁に前記第一通溝１１７と相対する信号伝送溝１３２が設置され、前記信号伝送溝１３２の左右両側の内壁に鏡映対称に第二滑り溝１４５が設置され、前記第二滑り溝１４５に仕切り板１３１がスライドに合わせて取り付けられ、前記第二滑り溝１４５の後側内壁に案内溝１３４が設置され、前記案内溝１３４に案内ブロック１３３がスライドに合わせて取り付けられ、前記案内ブロック１３３の外側端面の前記案内溝１３４に第一押しバネ１３５が押し合わせて取り付けられ、前記第二滑り溝１４５の外側内壁に後に拡張し設置される限定溝１４１があり、前記限定溝１４１に場所取りブロック１４２がスライドに合わせて取り付けられ、前記場所取りブロック１４２の前側端面にからまる輪１４３が回転可能なように合わせて取り付けられ、前記分離板１３１の右側端面に引きひも１４４が固定的に取り付けられ、前記引きひも１４４が前記からまる輪１４３を迂回し前記場所取りブロック１４２の前側端面と固定的に接続し、前記滑り台１１８の後側端面に前記限定溝１４１と相対に設置されるプッシュロッド１４６が固定的に取り付けられ、前記第一滑り筐体１２２の左右両側壁に鏡映対称にロック装置が設置され、前記知能探査機２００の後側端面に前記安置溝１１６とソケットに合わせて接続するプラグ２１３が固定的に取り付けられ、前記プラグ２１３の左右両側に鏡映対称に前記第二通溝１１５と相対に設置されるロック穴２１１が設置され、前記プラグ２１３の後側端面に信号伝送端２１２が固定的に取り付けられ、前記信号伝送端２１２は前記第一通溝１１７と相対に設置され、前記電気ローラー１２４の外部に積載装置が設置される。
【００１４】
有益なことは前記ロック装置は左右に鏡映対称に前記第一滑り筐体１２２の左右両側の内壁に設置されて後に拡張し設置される第三滑り筐体１１３が設置され、前記第三滑り筐体１１３にスケートボード１１２がスライドに合わせて取り付けられ、前記スケートボード１１２の内側端面の前側位置に前記第二通溝１１５と相対に設置されるロックブロック１１４が設置され、前記第一滑り筐体１２２の後側の前記スケートボード１１２にねじ軸１１１がねじで合わせて取り付けられ、前記ねじ軸１１１の外側拡張末端は前記第三滑り筐体１１３の外側内壁と回転可能なように合わせて接続し、前記ねじ軸１１１の内側拡張段は前記装固筐体１００の内壁体の隙間と合わせて接続し末端に電気ローラー１２４が動力が伝達可能なように合わせて取り付けられ、前記電気ローラー１２４は前記装固筐体１００の内壁体に固定的に取り付けられ、自動的に前記知能探知器２００をロックする。
【００１５】
有益なことは前記滑り台１１８の後側端面に調整器１２１が固定的に取り付けられ、前記第一滑り筐体１２２の後側内壁に前記調整器１２１と相対に設置されるフルート１２３が設置され、前記フルート１２３は前記電気ローラー１２４と電気的に接続し、これにより前記調整器１２１が前記フルート１２３に入った後自動的に前記電気ローラー１２４を起動することを制御する。
【００１６】
有益なことは前記プラグ２１３の後側端面の周囲に斜角面２１４が設置され、これによりプラグ２１３が前記安置溝１１６に挿し込むことが便利である。
【００１７】
有益なことは前記第二電気ローラー１２４の左右両側の前記ねじ軸１１１がねじで逆方向に設置され、これにより前記スケートボード１１２を制御し同時に内また外にスライドする。
【００１８】
有益なことは前記積載装置は衝撃除去厚い板１２４１と冷却アルミニウム板１２４２を含み、前記衝撃除去厚い板１２４１は前記電気ローラー１２４の上端と下端で設置され前記電気ローラー１２４と固定的に接続し、前記冷却アルミニウム板１２４２は前記電気ローラー１２４の前端と後端で設置され前記電気ローラー１２４と固定的に接続し、前記冷却アルミニウム板１２４２は前記電気ローラー１２４が動作する時に発生する熱量を吸収し発散することに用いて、前記衝撃除去厚い板１２４１は前記電気ローラー１２４が動作する時に発生する震動を減少することに用いて、これにより前記電気ローラー１２４が動作する時に発生する震動が大きすぎで本装置が振動ことを引き起こすことを防ぐ。
【００１９】
本発明の有益な効果は、構造が簡単で、操作が便利である。知能探知器をしっかりと装固筐体にロックし、不慮の接触でデータ受信或いは輸送をブレーキすることを防止し、有効的に知能探知器の使用安全性と安定性を増やして、そして自動ロックを通じて、使用する便利性を大きく増加し、知能探知器を引き抜く時、信号伝送筐体が自動に閉鎖され、有効的にほこり或いは水が信号伝送筐体に入ることを防ぐ。
【００２０】
以上に述べたのは本発明の具体的な実施方式であり、本発明の保護範囲はこれに限らない。全部の創造的な労働を通じずに、思いついた変化と取替は本発明の保護範囲にカバーされる。それゆえ、本発明の保護範囲は特許請求の範囲に規定する保護範囲を標準とする。
【図１】
2019138890.tif 000003
【図２】
2019138890.tif 000004
【図３】
2019138890.tif 000005
【図４】
2019138890.tif 000006
【図５】
2019138890.tif 000007